(57)【要約】【課題】信頼性の高い評価を行うこと。【解決手段】空気入りタイヤ５３ａ，５３ｂが装着された車両５１を予め定められた走行ルートに沿って一定の対地速度で走行させる走行工程と、走行工程において車両５１の舵取装置５２から得られる操舵感を官能評価する官能評価工程と、走行工程において車両５１に生じる横向加速度を計測する加速度計測工程と、走行工程において車両５１の舵取装置５２における操舵力を計測する操舵力計測工程と、加速度計測工程で計測された横向加速度および操舵力計測工程で計測された操舵力のリサージュ波形から操舵力ゼロ時の性能特性値を取得する性能特性値取得工程と、官能評価工程における操舵感との関係性から性能特性値の最適値を導き、当該性能特性値の最適値に対応する空気入りタイヤ５３ａ，５３ｂ単体における横バネ定数を設定する横バネ定数設定工程と、を含む。【選択図】図１
2015202833.tif 000002
【特許請求の範囲】
【請求項１】
空気入りタイヤが装着された車両を予め定められた走行ルートに沿って一定の対地速度で走行させる走行工程と、
前記走行工程において前記車両の舵取装置から得られる操舵感を官能評価する官能評価工程と、
前記走行工程において前記車両に生じる横向加速度を計測する加速度計測工程と、
前記走行工程において前記車両の舵取装置における操舵力を計測する操舵力計測工程と、
前記加速度計測工程で計測された横向加速度および前記操舵力計測工程で計測された操舵力のリサージュ波形から操舵力ゼロ時の性能特性値を取得する性能特性値取得工程と、
前記官能評価工程における操舵感との関係性から前記性能特性値の最適値を導き、当該性能特性値の最適値に対応する前記空気入りタイヤ単体における横バネ定数を設定する横バネ定数設定工程と、
を含むことを特徴とするタイヤ評価方法。
【請求項２】
複数の前記空気入りタイヤから基準タイヤを設定して、前記走行工程、前記官能評価工程、前記加速度計測工程、前記操舵力計測工程、および性能特性値取得工程を実施し、前記横バネ定数設定工程において前記基準タイヤに対して操舵感が良好となる前記性能特性値の最適値を導くことを特徴とする請求項１に記載のタイヤ評価方法。
【請求項３】
前記空気入りタイヤ単体における横バネ定数を算出する横バネ定数算出工程をさらに含み、
前記横バネ定数設定工程において前記横バネ定数算出工程で算出された横バネ定数を基準として前記性能特性値の最適値に対応する前記空気入りタイヤ単体における横バネ定数を設定することを特徴とする請求項１または２に記載のタイヤ評価方法。
【請求項４】
前記走行工程において前記車両に予め搭載された速度計測装置または前記車両外に固定設置した速度計測装置を用いて対地速度を計測することを特徴とする請求項１〜３のいずれか一つに記載のタイヤ評価方法。
【請求項５】
前記加速度計測工程において前記車両に予め搭載された慣性計測装置または前記車両に別途設置した慣性計測装置を用いて横向加速度を計測することを特徴とする請求項１〜４のいずれか一つに記載のタイヤ評価方法。
【請求項６】
前記操舵力計測工程において前記車両に予め搭載された操舵力計測装置または前記車両に別途設置した操舵力計測装置を用いて前記舵取装置の舵取シャフトの回転角および回転トルクを計測することを特徴とする請求項１〜５のいずれか一つに記載のタイヤ評価方法。
【請求項７】
前記加速度計測工程における横向加速度の計測結果と、前記操舵力計測工程における操舵力の計測結果とを同じ時間軸で記録装置に記録することを特徴とする請求項１〜６のいずれか一つに記載のタイヤ評価方法。
【請求項８】
予め定めた走行ルートと、
空気入りタイヤが装着された車両が前記走行ルートに沿って走行するときに当該車両の接地速度を測定する速度計測装置と、
前記車両が前記走行ルートに沿って走行するときに当該車両に生じる横向加速度を計測する加速度計測装置と、
前記車両が前記走行ルートに沿って走行するときに当該車両の舵取装置における操舵力を計測する操舵力計測装置と、
前記加速度計測装置で計測された横向加速度および前記操舵力計測装置で計測された操舵力のリサージュ波形から操舵力ゼロ時の性能特性値を取得し、前記車両が前記走行ルートに沿って走行するときに前記車両の舵取装置から得られる操舵感との関係性から前記性能特性値の最適値を導き、かつ前記性能特性値の最適値に対応する前記空気入りタイヤ単体における横バネ定数を解析する解析装置と、
を備えることを特徴とするタイヤ評価システム。
【請求項９】
複数の前記空気入りタイヤから基準タイヤを設定して、前記横向加速度、前記操舵力、および前記操舵感を取得し、前記解析装置において前記基準タイヤに対して操舵感が良好となる前記性能特性値の最適値を導くことを特徴とする請求項８に記載のタイヤ評価システム。
【請求項１０】
前記空気入りタイヤ単体における横バネ定数を算出するための横バネ定数計測装置をさらに備え、
前記解析装置において、前記横バネ定数計測装置で計測された計測値から算出した横バネ定数を基準として前記性能特性値の最適値に対応する前記空気入りタイヤ単体における横バネ定数を設定することを特徴とする請求項８または９に記載のタイヤ評価システム。
【請求項１１】
前記加速度計測装置における横向加速度の計測結果と、前記操舵力計測装置における操舵力の計測結果とを同じ時間軸で記録する記録装置を備えることを特徴とする請求項８〜１０のいずれか一つに記載のタイヤ評価システム。
【発明の詳細な説明】
【技術分野】
【０００１】
本発明は、空気入りタイヤにおける操縦安定性能を評価するためのタイヤ評価方法およびタイヤ評価システムに関するものである。
【背景技術】
【０００２】
従来、例えば、特許文献１に記載の操縦安定性評価方法は、操舵入力パターンを設定する操舵入力設定ステップと、車両の横加速度を測定してその横加速度データを得る横加速度測定ステップと、この横加速度データの２次回帰式を求めるとともにその２次導関数である横加速度勾配を求める演算ステップと、この横加速度勾配に基づき、操舵時における操縦安定性を評価する評価ステップと、を具える。
【先行技術文献】
【特許文献】
【０００３】
【特許文献１】特開２００９−２５０７６６号公報
【発明の概要】
【発明が解決しようとする課題】
【０００４】
上述した特許文献１の操縦安定性評価方法は、操舵入力設定ステップとして操舵角を基準化しており、この操舵角に対する車両応答を定量値化して評価している。しかしながら、操舵角はドライバーが操作するもので、例え、熟練のドライバーであっても複数の試験タイヤに対応する複数回の評価において同様の操舵入力を行うことは難しい。また、異なるドライバーであればなおさら同様の操舵入力を行うことは難しい。このため、基準となる操舵入力の再現性が乏しく評価の信頼性が低下することになる。
【０００５】
本発明は、上記に鑑みてなされたものであって、信頼性の高い評価を行うことのできるタイヤ評価方法およびタイヤ評価システムを提供することを目的とする。
【課題を解決するための手段】
【０００６】
上述した課題を解決し、目的を達成するために、本発明のタイヤ評価方法は、空気入りタイヤが装着された車両を予め定められた走行ルートに沿って一定の対地速度で走行させる走行工程と、前記走行工程において前記車両の舵取装置から得られる操舵感を官能評価する官能評価工程と、前記走行工程において前記車両に生じる横向加速度を計測する加速度計測工程と、前記走行工程において前記車両の舵取装置における操舵力を計測する操舵力計測工程と、前記加速度計測工程で計測された横向加速度および前記操舵力計測工程で計測された操舵力のリサージュ波形から操舵力ゼロ時の性能特性値を取得する性能特性値取得工程と、前記官能評価工程における操舵感との関係性から前記性能特性値の最適値を導き、当該性能特性値の最適値に対応する前記空気入りタイヤ単体における横バネ定数を設定する横バネ定数設定工程と、を含むことを特徴とする。
【０００７】
このタイヤ評価方法によれば、車両を予め定められた走行ルートに沿って一定の対地速度で走行させることで、ドライバーによる舵取装置の操舵入力に再現性を付与することができる。そして、この再現性を有する操舵入力に伴う車両の走行において、操舵感や横向加速度や操舵力を得て、横向加速度および操舵力のリサージュ波形から操舵力ゼロ時の性能特性値を取得し、さらに官能評価工程における操舵感との関係性から性能特性値の最適値を導き、性能特性値の最適値に対応する空気入りタイヤ単体における横バネ定数を設定する。この結果、横バネ定数の最適値を定量的に設定することができ、信頼性の高い操縦安定性能の評価を行うことができる。
【０００８】
本発明のタイヤ評価方法は、複数の前記空気入りタイヤから基準タイヤを設定して、前記走行工程、前記官能評価工程、前記加速度計測工程、前記操舵力計測工程、および性能特性値取得工程を実施し、前記横バネ定数設定工程において前記基準タイヤに対して操舵感が良好となる前記性能特性値の最適値を導くことを特徴とする。
【０００９】
このタイヤ評価方法によれば、複数の空気入りタイヤから基準タイヤを設定し、この基準タイヤよりも操舵感が良好となる性能特性値の最適値を導くことで、横バネ定数の最適値を定量的に設定することができ、信頼性の高い操縦安定性能の評価を行うことができる。
【００１０】
本発明のタイヤ評価方法は、前記空気入りタイヤ単体における横バネ定数を算出する横バネ定数算出工程をさらに含み、前記横バネ定数設定工程において前記横バネ定数算出工程で算出された横バネ定数を基準として前記性能特性値の最適値に対応する前記空気入りタイヤ単体における横バネ定数を設定することを特徴とする。
【００１１】
このタイヤ評価方法によれば、横バネ定数算出工程で算出された横バネ定数を基準として性能特性値の最適値に対応する空気入りタイヤ単体における横バネ定数を設定することで、横バネ定数の最適値を定量的に設定することができ、信頼性の高い操縦安定性能の評価を行うことができる。
【００１２】
本発明のタイヤ評価方法は、前記走行工程において前記車両に予め搭載された速度計測装置または前記車両外に固定設置した速度計測装置を用いて対地速度を計測することを特徴とする。
【００１３】
このタイヤ評価方法によれば、車両に予め搭載された速度計測装置を用いれば、対地速度の計測を容易に行うことができる。一方、車両外に固定設置した速度計測装置を用いることで対地速度の計測を非接触で行うことができる。
【００１４】
本発明のタイヤ評価方法は、前記加速度計測工程において前記車両に予め搭載された慣性計測装置または前記車両に別途設置した慣性計測装置を用いて横向加速度を計測することを特徴とする。
【００１５】
このタイヤ評価方法によれば、慣性計測装置を用いることで、横向加速度以外も測定することができ、同時に他の評価を行うことができる。
【００１６】
本発明のタイヤ評価方法は、前記操舵力計測工程において前記車両に予め搭載された操舵力計測装置または前記車両に別途設置した操舵力計測装置を用いて前記舵取装置の舵取シャフトの回転角および回転トルクを計測することを特徴とする。
【００１７】
このタイヤ評価方法によれば、車両に予め搭載された操舵力計測装置を用いれば、操舵力の計測を容易に行うことができる。一方、車両に操舵力計測装置がない場合は操舵力計測装置を車両に別途設置することで操舵力の計測を容易に行うことができる。
【００１８】
本発明のタイヤ評価方法は、前記加速度計測工程における横向加速度の計測結果と、前記操舵力計測工程における操舵力の計測結果とを同じ時間軸で記録装置に記録することを特徴とする。
【００１９】
このタイヤ評価方法によれば、横向加速度と操舵力とを同じ時間軸で記録装置に記録することで、双方を関連付け、リサージュ波形を容易に作成し、性能特性値を容易に導くことができる。
【００２０】
上述した課題を解決し、目的を達成するために、本発明のタイヤ評価システムは、予め定めた走行ルートと、空気入りタイヤが装着された車両が前記走行ルートに沿って走行するときに当該車両の接地速度を測定する速度計測装置と、前記車両が前記走行ルートに沿って走行するときに当該車両に生じる横向加速度を計測する加速度計測装置と、前記車両が前記走行ルートに沿って走行するときに当該車両の舵取装置における操舵力を計測する操舵力計測装置と、前記加速度計測装置で計測された横向加速度および前記操舵力計測装置で計測された操舵力のリサージュ波形から操舵力ゼロ時の性能特性値を取得し、前記車両が前記走行ルートに沿って走行するときに前記車両の舵取装置から得られる操舵感との関係性から前記性能特性値の最適値を導き、かつ前記性能特性値の最適値に対応する前記空気入りタイヤ単体における横バネ定数を解析する解析装置と、を備えることを特徴とする。
【００２１】
このタイヤ評価システムによれば、車両を予め定められた走行ルートに沿って接地速度を測定しながら一定の対地速度で走行させることで、ドライバーによる舵取装置の操舵入力に再現性を付与することができる。そして、この再現性を有する操舵入力に伴う車両の走行において、操舵感や横向加速度や操舵力を得て、横向加速度および操舵力のリサージュ波形から操舵力ゼロ時の性能特性値を取得し、さらに官能評価工程における操舵感との関係性から性能特性値の最適値を導き、性能特性値の最適値に対応する空気入りタイヤ単体における横バネ定数を設定する。この結果、横バネ定数の最適値を定量的に設定することができ、信頼性の高い操縦安定性能の評価を行うことができる。
【００２２】
本発明のタイヤ評価システムは、複数の前記空気入りタイヤから基準タイヤを設定して、前記横向加速度、前記操舵力、および前記操舵感を取得し、前記解析装置において前記基準タイヤに対して操舵感が良好となる前記性能特性値の最適値を導くことを特徴とする。
【００２３】
このタイヤ評価システムによれば、複数の空気入りタイヤから基準タイヤを設定し、この基準タイヤよりも操舵感が良好となる性能特性値の最適値を導くことで、横バネ定数の最適値を定量的に設定することができ、信頼性の高い操縦安定性能の評価を行うことができる。
【００２４】
本発明のタイヤ評価システムは、前記空気入りタイヤ単体における横バネ定数を算出するための横バネ定数計測装置をさらに備え、前記解析装置において、前記横バネ定数計測装置で計測された計測値から算出した横バネ定数を基準として前記性能特性値の最適値に対応する前記空気入りタイヤ単体における横バネ定数を設定することを特徴とする。
【００２５】
このタイヤ評価システムによれば、横バネ定数計測装置で計測された計測値から算出した横バネ定数を基準として性能特性値の最適値に対応する空気入りタイヤ単体における横バネ定数を設定することで、横バネ定数の最適値を定量的に設定することができ、信頼性の高い操縦安定性能の評価を行うことができる。
【００２６】
本発明のタイヤ評価システムは、前記加速度計測装置における横向加速度の計測結果と、前記操舵力計測装置における操舵力の計測結果とを同じ時間軸で記録する記録装置を備えることを特徴とする。
【００２７】
このタイヤ評価システムによれば、横向加速度と操舵力とを同じ時間軸で記録装置に記録することで、双方を関連付け、リサージュ波形を容易に作成し、性能特性値を容易に導くことができる。
【発明の効果】
【００２８】
本発明に係るタイヤ評価方法およびタイヤ評価システムは、信頼性の高い評価を行うことができる。
【図面の簡単な説明】
【００２９】
【図１】図１は、本発明の実施形態に係るタイヤ評価システムの構成図である。
【図２】図２は、本発明の実施形態に係るタイヤ評価システムの構成図である。
【図３】図３は、本発明の実施形態に係るタイヤ評価システムにおける加速度計測装置で計測された横向加速度を示すグラフである。
【図４】図４は、本発明の実施形態に係るタイヤ評価システムにおける操舵力計測装置で計測された操舵力を示すグラフである。
【図５】図５は、本発明の実施形態に係るタイヤ評価システムにおける解析装置にて作成されるリサージュ波形およびリサージュ波形から取得される性能特性値を示すグラフである。
【図６】図６は、本発明の実施形態に係るタイヤ評価システムにおける解析装置にて解析される性能特性値と操舵感との関係性を示すグラフである。
【図７】図７は、本発明の実施形態に係るタイヤ評価システムにおける解析装置にて解析される性能特性値と操舵感との関係性を示すグラフである。
【図８】図８は、本発明の実施形態に係るタイヤ評価システムにおける解析装置にて解析される性能特性値と横バネ定数との関係性を示すグラフである。
【図９】図９は、本発明の実施形態に係るタイヤ評価システムの動作を示すフローチャートである。
【図１０】図１０は、本発明の実施形態に係るタイヤ評価システムの動作を示すフローチャートである。
【図１１】図１１は、本発明の実施形態に係るタイヤ評価システムの動作を示すフローチャートである。
【図１２】図１２は、本発明の実施形態に係るタイヤ評価システムの動作を示すフローチャートである。
【図１３】図１３は、本発明の実施例に係る空気入りタイヤの性能試験の結果を示す図表である。
【図１４】図１４は、本発明の実施例に係る空気入りタイヤの性能試験の結果過程を示すグラフである。
【図１５】図１５は、本発明の実施例に係る空気入りタイヤの性能試験の結果過程を示すグラフである。
【図１６】図１６は、本発明の実施例に係る空気入りタイヤの性能試験の結果を示すグラフである。
【発明を実施するための形態】
【００３０】
以下に、本発明の実施形態を図面に基づいて詳細に説明する。なお、この実施形態によりこの発明が限定されるものではない。また、この実施形態の構成要素には、当業者が置換可能かつ容易なもの、あるいは実質的に同一のものが含まれる。また、この実施形態に記載された複数の変形例は、当業者自明の範囲内にて任意に組み合わせが可能である。
【００３１】
図１および図２は、本実施形態に係るタイヤ評価システムの構成図である。
【００３２】
本実施形態のタイヤ評価システムは、図１に示すように、加速度計測装置１と、操舵力計測装置２と、速度計測装置３と、横バネ定数計測装置４と、解析装置５と、記録装置６と、を有する。また、本実施形態のタイヤ評価システムは、図２に示すように、走行ルート７を有する。
【００３３】
加速度計測装置１は、走行中の車両５１に生じる横向加速度を計測するものである。加速度計測装置１は、図１に示すように、車両５１における重心位置Ｇ（または重心位置Ｇの近傍）に加速度センサが設けられて車両５１に設置される。加速度計測装置１は、加速度のみを計測するものであってもよいが、３軸の角度（または角速度）と加速度を検出することのできる慣性計測装置（Inertial  Measurement  Unit：ＩＭＵ）が用いられてもよい。この加速度計測装置１は、車両５１に装備として予め搭載されたものであっても、車両５１に別途設置したものであってもよい。
【００３４】
操舵力計測装置２は、走行中の車両５１の舵取装置５２における操舵力を計測するものである。舵取装置５２は、車両５１の操舵輪側空気入りタイヤ５３ａを操作するもので、操作ハンドル５２ａの回転操作により舵取シャフト５２ｂが回転することで、リンク機構５２ｃを介して操舵輪側空気入りタイヤ５３ａの向きが変化し、車両５１の向きを変える。操舵力計測装置２は、この舵取装置５２の舵取シャフト５２ｂに回転角および回転トルクを検出するセンサが設けられる。この操舵力計測装置２は、車両５１に装備として予め搭載されたものであっても、車両５１に別途設置したものであってもよい。
【００３５】
速度計測装置３は、走行中の車両５１の接地速度を計測するものである。速度計測装置３は、車両５１の回転軸５４に角速度を検出するセンサが設けられる。この速度計測装置３は、車両５１に装備として予め搭載されたものであっても、車両５１に別途設置したものであってもよい。また、速度計測装置３は、車両５１に搭載せず、例えば、ＧＰＳ（Global  Positioning  System）式や、ＤＧＰＳ（Differential   Global  Positioning  System）や、光学式などの非接触のセンサを車両５１外に固定設置したものであってもよい。
【００３６】
横バネ定数計測装置４は、空気入りタイヤ５３ａ，５３ｂ単体における横バネ定数を計測するためのものである。横バネ定数計測装置４は、いわゆる台上試験装置であって、空気入りタイヤ５３ａ，５３ｂ単体が試験基盤上で静的に垂直荷重が負荷された状態にて、試験基盤の水平移動距離（変位）と横荷重とを測定する。この試験基盤の水平移動距離（変位）と横荷重とにより横バネ定数が算出できる。
【００３７】
解析装置５は、コンピュータであって、キーボードやマウスなどの入力装置５ａと、ディスプレイである表示装置５ｂとを有する。解析装置５は、車両５１に積載されていてもよく、車両５１に積載されていなくてもよい。解析装置５は、加速度計測装置１で計測された横向加速度や、操舵力計測装置２で計測された操舵力や、速度計測装置３で計測された接地速度や、横バネ定数計測装置４で計測された横バネ定数が入力される。また、解析装置５は、車両５１の操舵を操作したドライバーが官能評価した操舵感の指数データ（官能評点）が入力装置５ａにより入力される。操舵感とは、舵取装置５２における操作ハンドル５２ａを操作した際に生じる遊び感や、操作ハンドル５２ａを切り返し操作したときに荷重が抜ける切り返しの抜け感である。
【００３８】
また、解析装置５は、入力された各入力事項や解析結果を表示装置５ｂに表示する。図３は、本実施形態に係るタイヤ評価システムにおける加速度計測装置で計測された横向加速度を示すグラフである。図４は、本実施形態に係るタイヤ評価システムにおける操舵力計測装置で計測された操舵力を示すグラフである。図５は、本実施形態に係るタイヤ評価システムにおける解析装置にて作成されるリサージュ波形およびリサージュ波形から取得される性能特性値を示すグラフである。図６は、本実施形態に係るタイヤ評価システムにおける解析装置にて解析される性能特性値と操舵感との関係性を示すグラフである。図７は、本実施形態に係るタイヤ評価システムにおける解析装置にて解析される性能特性値と操舵感との関係性を示すグラフである。図８は、本実施形態に係るタイヤ評価システムにおける解析装置にて解析される性能特性値と横バネ定数との関係性を示すグラフである。
【００３９】
解析装置５は、図３に示すように、加速度計測装置１で計測された横向加速度をグラフ表示することができる。また、解析装置５は、図４に示すように、操舵力計測装置２で計測された操舵力をグラフ表示することができる。また、解析装置５は、図５に示すように、加速度計測装置１で計測された横向加速度および操舵力計測装置２で計測された操舵力から、これらのリサージュ波形を作成して表示することができる。解析装置５は、このリサージュ波形から操舵力ゼロ時の性能特性値α２を取得し表示することができる。また、解析装置５は、官能評価において入力された操舵感（遊び感や切り返しの抜け感）の指数データ（官能評点）を表示することができる。
【００４０】
また、解析装置５は、所得した性能特性値α２を指数化して基準の空気入りタイヤ５３ａ，５３ｂを１００とし、図６に示すように、性能特性値α２と操舵感（遊び感）との関係性をグラフ表示することができる。また、解析装置５は、図７に示すように、性能特性値α２と操舵感（切り返しの抜け感）との関係性をグラフ表示することができる。図６および図７において、基準の空気入りタイヤ５３ａ，５３ｂを、性能特性値α２が指数１００で操舵感がゼロの位置に○で示す。解析装置５は、図６および図７に示す関係性から、基準とする空気入りタイヤ５３ａ，５３ｂよりも操舵感が向上する、つまり、遊び感が小さく（＋傾向）、切り返しの抜け感が小さい（＋傾向）となる性能特性値α２の最適値を導く。具体的には、性能特性値α２を基準よりも小さくする。図６および図７において、性能特性値α２の最適値を□で示す。◆は、最適値から外れる空気入りタイヤ５３ａ，５３ｂを示す。さらに、解析装置５は、図８に示すように、性能特性値α２と横バネ定数との関係性をグラフ表示することができ、この関係から性能特性値α２の最適値に対応する空気入りタイヤ５３ａ，５３ｂ単体における横バネ定数を解析する。図８において、基準の空気入りタイヤ５３ａ，５３ｂを、性能特性値α２が指数１００で横バネ定数が指数１００の位置に○で示す。そして、性能特性値α２の最適値に対応する空気入りタイヤ５３ａ，５３ｂ単体における横バネ定数を□で示し、最適値から外れる空気入りタイヤ５３ａ，５３ｂを◆で示す。具体的には、性能特性値α２が基準よりも小さくなるように横バネ定数を基準よりも大きくする。なお、性能特性値α２の最適値に対応する空気入りタイヤ５３ａ，５３ｂ単体における横バネ定数は、操縦安定性能以外のタイヤ性能を大きく低下させないバランスを保つように設定する。
【００４１】
記録装置６は、加速度計測装置１、操舵力計測装置２、速度計測装置３、および横バネ定数計測装置４が計測する各計測結果や操舵感の指数データや性能特性値α２の最適値や性能特性値α２の最適値に対応する空気入りタイヤ５３ａ，５３ｂ単体における横バネ定数などの入力事項を記録するものである。なお、記録装置６は、各入力事項を関連付けて記録する。例えば、加速度計測装置１と操舵力計測装置２とを、同じ時間軸で記録する。この記録装置６は、解析装置５に装備される記憶媒体であってもよく、解析装置５の外部から解析装置５に接続される記憶媒体であってもよい。なお、解析装置５における上記解析は、記録装置６への各計測結果の記録と同時に行っても、記録装置６に記録された各計測結果により後に行ってもよい。
【００４２】
走行ルート７は、図２に示すように、曲線および直線が組み合わされて車両５１を走行させる経路をなすものである。この走行ルート７は、直線から舵取装置５２の操作ハンドル５２ａを左（または右）に切って戻し、さらに直線から舵取装置５２の操作ハンドル５２ａを右（または左）に切って戻す操作をさせるため、路面に記された基線として設けられる。この走行ルート７は、所定の接地速度（例えば、１２０ｋｍ／ｈ）とした場合に、０．４Ｈｚ以下の周波数の操舵入力が行われるように設定する。この０．４Ｈｚ以下の周波数の操舵入力は、官能評価において０．５Ｈｚよりも低い周波数での操舵入力が推奨されており、また、ヨー角速度および横向加速度の応答特性からも定常ゲインに近いものであり好ましい。本実施形態では、過渡応答試験（例えば、ＪＡＳＯ  Ｚ１１０  ２００３）の単一正弦波入力試験をベースとし、操舵入力のピーク周波数が０．３Ｈｚ以上０．４Ｈｚ以下となるように走行ルート７を設定した。そして、ドライバーは、この走行ルート７に運転席側となる空気入りタイヤ５３ａ，５３ｂを載せて走行することで、容易に走行ルート７に沿って車両５１を走行させることができる。なお、図２において示した寸法は一例である。なお、走行ルート７に運転席側となる空気入りタイヤ５３ａ，５３ｂを載せて走行すると説明したが、車両５１においてドライバーの視界内に目印を設け、この目印を走行ルート７に沿わせて走行してもよい。なお、走行ルート７は、路面に基線を記したものと説明したが、ＧＰＳやＤＧＰＳを車両５１に搭載することで車両５１の位置情報を取得し、この位置情報に合わせて車両５１のドライバーの視界内に配置した表示装置に示してもよい。
【００４３】
上述したタイヤ評価システムの動作であるタイヤ評価方法について説明する。図９〜図１２は、本実施形態に係るタイヤ評価システムの動作を示すフローチャートである。
【００４４】
本実施形態のタイヤ評価方法は、走行工程と、官能評価工程と、加速度計測工程と、操舵力計測工程と、性能特性値取得工程と、横バネ定数算出工程と、横バネ定数設定工程と、を含む。
【００４５】
走行工程は、空気入りタイヤ５３ａ，５３ｂが装着された車両５１を走行ルート７に沿って一定の対地速度で走行させる。走行工程は、一定の対地速度であることを速度計測装置３で計測する。すなわち、本実施形態では、操舵周波数の繰り返し安定性を考慮したクローズドループ式を採用する。この走行工程では、官能評価工程と、加速度計測工程と、操舵力計測工程と、が実施される。これらの工程は１つの走行工程で同時に実施してもよく、それぞれ別の走行工程で実施してもよいが、各結果を関連付けて正確性を求める場合は同時に実施することが好ましい。
【００４６】
官能評価工程は、操縦安定性能である操舵感の遊び感および切り返しの抜け感の項目について、熟練のドライバーにより官能評価する。そして、この官能評価に基づいて、基準の空気入りタイヤ５３ａ，５３ｂを０として±５段階の指数評価をする。この評価結果は、図９に示すように、解析装置５に入力され記録装置６に記録される（ステップＳ１１）。この官能評価工程は、同じ空気入りタイヤ５３ａ，５３ｂについて複数回行われ、指数評価は平均値とする。また、この官能評価工程は、仕様の異なる複数の空気入りタイヤ５３ａ，５３ｂについて実施される。
【００４７】
加速度計測工程は、走行工程において車両５１に生じる横向加速度を計測する。具体的には、車両５１が走行ルート７に沿って走行するときに当該車両５１に生じる横向加速度を加速度計測装置１により１/１０秒以下（好ましくは１／１００秒）ごとに計測する。この計測された走行データは、図１０に示すように、解析装置５に入力され記録装置６に記録される（ステップＳ２１）。この加速度計測工程は、同じ空気入りタイヤ５３ａ，５３ｂについて複数回行われる。
【００４８】
操舵力計測工程は、走行工程において車両５１の舵取装置５２における操舵力を計測する。具体的には、車両５１が走行ルート７に沿って走行するときに当該車両５１の舵取装置５２における操舵力を操舵力計測装置２により１/１０秒以下（好ましくは１／１００秒）ごとに計測する。この計測された走行データは、図１０に示すように、解析装置５に入力され記録装置６に記録される（ステップＳ２１）。この操舵力計測工程は、同じ空気入りタイヤ５３ａ，５３ｂについて複数回行われる。
【００４９】
図１０に示すように、解析装置５は、加速度計測工程および操舵力計測工程において計測した走行データに信頼性があるかを判断する（ステップＳ２２）。具体的には、計測した対地速度が一定であるかを含め、複数回計測した横向加速度に再現性があるか、複数回計測した操舵力に再現性があるか、を判断する。この判断の結果、横向加速度や操舵力に再現性があれば（ステップＳ２２：ＯＫ）、ステップＳ２３以降の性能特性値取得工程として走行データを解析する。一方、ステップＳ２２の判断の結果、横向加速度や操舵力に再現性が乏しければ（ステップＳ２２：ＮＧ）、ステップＳ２１に戻り、走行データの計測をさらに増すようにオペレータに促す。
【００５０】
性能特性値取得工程は、加速度計測工程で計測された横向加速度および操舵力計測工程で計測された操舵力の時系列データからリサージュ波形を作成し、このリサージュ波形から操舵力ゼロ時の性能特性値α２を取得する。具体的に、図１０に示すように、解析装置５は、ステップＳ２３の解析において、複数回計測した走行データを用い、図５に示すリサージュ波形を作成する。そして、このリサージュ波形において操舵力ゼロ時の幅である性能特性値α２を取得する。また、解析装置５は、この性能特性値α２を含むリサージュ波形を表示装置５ｂに表示する（ステップＳ２４）。その後、解析装置５は、複数回計測した走行データに基づく複数の性能特性値α２にばらつきがあるかを判定する（ステップＳ２５）。そして、ステップＳ２５において、ばらつきが予め設定した許容範囲内である場合（ステップＳ２５：ＯＫ）、解析装置５は、複数回計測した走行データに基づく複数の性能特性値α２のうちの平均値に近似する性能特性値α２、または平均した性能特性値α２を指数化した解析結果を記録装置６に記録する（ステップＳ２６）。一方、ばらつきが許容範囲を逸脱する場合（ステップＳ２５：ＮＧ）、解析装置５は、ステップＳ２１に戻り、走行データの計測をさらに増すようにオペレータに促す。このような、加速度計測工程、操舵力計測工程、および性能特性値取得工程は、仕様の異なる複数の空気入りタイヤ５３ａ，５３ｂについて実施される。
【００５１】
横バネ定数算出工程は、空気入りタイヤ５３ａ，５３ｂ単体における横バネ定数を算出する。具体的に、横バネ定数算出工程は、図１１に示すように、横バネ定数計測装置４により試験基盤の水平移動距離と横荷重とを測定する（ステップＳ３１）。解析装置５は、この試験基盤の水平移動距離と横荷重とを解析して横バネ定数を算出する（ステップＳ３２）。また、解析装置５は、この横バネ定数を表示装置５ｂに表示する（ステップＳ３３）。その後、解析装置５は、算出した横バネ定数を判定する（ステップＳ３４）。そして、ステップＳ３４において、横バネ定数が予め想定した範囲内にあれば（ステップＳ３４：ＯＫ）、横バネ定数の算出結果を記録装置６に記録する（ステップＳ３５）。一方、横バネ定数が予め想定した範囲から逸脱する場合（ステップＳ３４：ＮＧ）、解析装置５は、ステップＳ３１に戻り、横バネ定数計測装置４による試験基盤の水平移動距離と横荷重との測定を再測定するようにオペレータに促す。
【００５２】
横バネ定数設定工程は、官能評価工程における操舵感との関係性から、性能特性値α２の最適値を導き、性能特性値α２の最適値に対応する空気入りタイヤ５３ａ，５３ｂ単体における横バネ定数を設定する。具体的に、横バネ定数設定工程では、図１２に示すように、解析装置５は、各結果である官能評価工程における官能評価、性能特性値取得工程における性能特性値α２、および横バネ定数算出工程における横バネ定数を記録装置６から入力する（ステップＳ４１）。そして、解析装置５は、入力した各結果に基づき解析を行い、性能特性値α２の最適値に対応する空気入りタイヤ５３ａ，５３ｂ単体における横バネ定数を設定し（ステップＳ４２）、これを表示装置５ｂに表示する（ステップＳ４３）。設定した横バネ定数の最適値は、空気入りタイヤ５３ａ，５３ｂの設計に適用され、製作された空気入りタイヤ５３ａ，５３ｂを本タイヤ評価方法（タイヤ評価システム）により評価する。
【００５３】
以上説明したように、本実施形態のタイヤ評価方法は、空気入りタイヤ５３ａ，５３ｂが装着された車両５１を予め定められた走行ルート７に沿って一定の対地速度で走行させる走行工程と、走行工程において車両５１の舵取装置５２から得られる操舵感を官能評価する官能評価工程と、走行工程において車両５１に生じる横向加速度を計測する加速度計測工程と、走行工程において車両５１の舵取装置５２における操舵力を計測する操舵力計測工程と、加速度計測工程で計測された横向加速度および操舵力計測工程で計測された操舵力のリサージュ波形から操舵力ゼロ時の性能特性値α２を取得する性能特性値取得工程と、官能評価工程における操舵感との関係性から性能特性値α２の最適値を導き、当該性能特性値α２の最適値に対応する空気入りタイヤ５３ａ，５３ｂ単体における横バネ定数を設定する横バネ定数設定工程と、を含む。
【００５４】
このタイヤ評価方法によれば、車両５１を予め定められた走行ルート７に沿って一定の対地速度で走行させることで、ドライバーによる舵取装置５２の操舵入力に再現性を付与することができる。そして、この再現性を有する操舵入力に伴う車両５１の走行において、操舵感や横向加速度や操舵力を得て、横向加速度および操舵力のリサージュ波形から操舵力ゼロ時の性能特性値α２を取得し、さらに官能評価工程における操舵感との関係性から性能特性値α２の最適値を導き、性能特性値α２の最適値に対応する空気入りタイヤ５３ａ，５３ｂ単体における横バネ定数を設定する。この結果、横バネ定数の最適値を定量的に設定することができ、信頼性の高い操縦安定性能の評価を行うことができる。
【００５５】
また、本実施形態のタイヤ評価方法は、複数の空気入りタイヤ５３ａ，５３ｂから基準タイヤを設定して、走行工程、官能評価工程、加速度計測工程、操舵力計測工程、および性能特性値取得工程を実施し、横バネ定数設定工程において基準タイヤに対して操舵感が良好となる性能特性値α２の最適値を導く。
【００５６】
このタイヤ評価方法によれば、複数の空気入りタイヤ５３ａ，５３ｂから基準タイヤを設定し、この基準タイヤよりも操舵感が良好となる性能特性値α２の最適値を導くことで、横バネ定数の最適値を定量的に設定することができ、信頼性の高い操縦安定性能の評価を行うことができる。
【００５７】
また、本実施形態のタイヤ評価方法は、空気入りタイヤ５３ａ，５３ｂ単体における横バネ定数を算出する横バネ定数算出工程をさらに含み、横バネ定数設定工程において横バネ定数算出工程で算出された横バネ定数を基準として性能特性値α２の最適値に対応する空気入りタイヤ５３ａ，５３ｂ単体における横バネ定数を設定する。
【００５８】
このタイヤ評価方法によれば、横バネ定数算出工程で算出された横バネ定数を基準として性能特性値α２の最適値に対応する空気入りタイヤ５３ａ，５３ｂ単体における横バネ定数を設定することで、横バネ定数の最適値を定量的に設定することができ、信頼性の高い操縦安定性能の評価を行うことができる。
【００５９】
また、本実施形態のタイヤ評価方法は、走行工程において車両５１に予め搭載された速度計測装置３または車両５１外に設置した速度計測装置３を用いて対地速度を計測する。
【００６０】
このタイヤ評価方法によれば、車両５１に予め搭載された速度計測装置３を用いれば、対地速度の計測を容易に行うことができる。一方、車両５１外に固定設置した速度計測装置３を用いることで対地速度の計測を非接触で行うことができる。
【００６１】
また、本実施形態のタイヤ評価方法は、加速度計測工程において車両５１に予め搭載された慣性計測装置または車両５１に別途設置した慣性計測装置を用いて横向加速度を計測する。
【００６２】
このタイヤ評価方法によれば、慣性計測装置を用いることで、横向加速度以外も測定することができ、同時に他の評価を行うことができる。
【００６３】
また、本実施形態のタイヤ評価方法は、操舵力計測工程において車両５１に予め搭載された操舵力計測装置２または車両５１に別途設置した操舵力計測装置２を用いて舵取装置５２の舵取シャフト５２ｂの回転角および回転トルクを計測する。
【００６４】
このタイヤ評価方法によれば、車両５１に予め搭載された操舵力計測装置２を用いれば、操舵力の計測を容易に行うことができる。一方、車両５１に操舵力計測装置２がない場合は操舵力計測装置２を車両５１に別途設置することで操舵力の計測を容易に行うことができる。
【００６５】
また、本実施形態のタイヤ評価方法は、加速度計測工程における横向加速度の計測結果と、操舵力計測工程における操舵力の計測結果とを同じ時間軸で記録装置６に記録する。
【００６６】
このタイヤ評価方法によれば、横向加速度と操舵力とを同じ時間軸で記録装置６に記録することで、双方を関連付け、リサージュ波形を容易に作成し、性能特性値α２を容易に導くことができる。
【００６７】
また、本実施形態のタイヤ評価システムは、予め定めた走行ルート７と、空気入りタイヤ５３ａ，５３ｂが装着された車両５１が走行ルート７に沿って走行するときに当該車両５１の接地速度を測定する速度計測装置３と、車両５１が走行ルート７に沿って走行するときに当該車両５１に生じる横向加速度を計測する加速度計測装置１と、車両５１が走行ルート７に沿って走行するときに当該車両５１の舵取装置５２における操舵力を計測する操舵力計測装置２と、加速度計測装置１で計測された横向加速度および操舵力計測装置２で計測された操舵力のリサージュ波形から操舵力ゼロ時の性能特性値α２を取得し、車両５１が走行ルート７に沿って走行するときに車両５１の舵取装置５２から得られる操舵感との関係性から前記性能特性値α２の最適値を導き、かつ性能特性値α２の最適値に対応する空気入りタイヤ５３ａ，５３ｂ単体における横バネ定数を解析する解析装置５と、を備える。
【００６８】
このタイヤ評価システムによれば、車両５１を予め定められた走行ルート７に沿って接地速度を測定しながら一定の対地速度で走行させることで、ドライバーによる舵取装置５２の操舵入力に再現性を付与することができる。そして、この再現性を有する操舵入力に伴う車両５１の走行において、操舵感や横向加速度や操舵力を得て、横向加速度および操舵力のリサージュ波形から操舵力ゼロ時の性能特性値α２を取得し、さらに官能評価工程における操舵感との関係性から性能特性値α２の最適値を導き、性能特性値α２の最適値に対応する空気入りタイヤ５３ａ，５３ｂ単体における横バネ定数を設定する。この結果、横バネ定数の最適値を定量的に設定することができ、信頼性の高い操縦安定性能の評価を行うことができる。
【００６９】
また、本実施形態のタイヤ評価システムは、複数の空気入りタイヤ５３ａ，５３ｂから基準タイヤを設定して、横向加速度、操舵力、および操舵感を取得し、解析装置５において基準タイヤに対して操舵感が良好となる性能特性値α２の最適値を導く。
【００７０】
このタイヤ評価システムによれば、複数の空気入りタイヤ５３ａ，５３ｂから基準タイヤを設定し、この基準タイヤよりも操舵感が良好となる性能特性値α２の最適値を導くことで、横バネ定数の最適値を定量的に設定することができ、信頼性の高い操縦安定性能の評価を行うことができる。
【００７１】
また、本実施形態のタイヤ評価システムは、空気入りタイヤ５３ａ，５３ｂ単体における横バネ定数を算出するための横バネ定数計測装置４をさらに備え、解析装置５において、横バネ定数計測装置４で計測された計測値から算出した横バネ定数を基準として性能特性値α２の最適値に対応する空気入りタイヤ５３ａ，５３ｂ単体における横バネ定数を設定する。
【００７２】
このタイヤ評価システムによれば、横バネ定数計測装置４で計測された計測値から算出した横バネ定数を基準として性能特性値α２の最適値に対応する空気入りタイヤ５３ａ，５３ｂ単体における横バネ定数を設定することで、横バネ定数の最適値を定量的に設定することができ、信頼性の高い操縦安定性能の評価を行うことができる。
【００７３】
また、本実施形態のタイヤ評価システムは、加速度計測装置１における横向加速度の計測結果と、操舵力計測装置２における操舵力の計測結果とを同じ時間軸で記録する記録装置６を備える。
【００７４】
このタイヤ評価システムによれば、横向加速度と操舵力とを同じ時間軸で記録装置６に記録することで、双方を関連付け、リサージュ波形を容易に作成し、性能特性値α２を容易に導くことができる。
【実施例】
【００７５】
図１３は、本実施例に係る空気入りタイヤの性能試験の結果を示す図表である。図１４および図１５は、本実施例に係る空気入りタイヤの性能試験の結果過程を示すグラフである。図１６は、本実施例に係る空気入りタイヤの性能試験の結果を示すグラフである。
【００７６】
本実施例では、図１３〜図１６に示すように、条件が異なる複数種類の空気入りタイヤ（基準タイヤＯ、タイヤＡ、タイヤＢ、タイヤＣ、タイヤＤ、タイヤＥ）について、評価を行った。そして、操縦安定性能を示す遊び感および切り返しの抜け感の官能評価を向上させるためには、性能特性値α２を基準タイヤＯに対して８０以上１００以下の範囲の指数にすればよく、このため、横バネ定数を基準タイヤＯに対して１００以上１１０以下の指数範囲に設定すればよいと評価することができる。
【符号の説明】
【００７７】
１  加速度計測装置
２  操舵力計測装置
３  速度計測装置
４  横バネ定数計測装置
５  解析装置
５ａ  入力装置
５ｂ  表示装置
６  記録装置
７  走行ルート
５１  車両
５２  舵取装置
５２ａ  操作ハンドル
５２ｂ  舵取シャフト
５２ｃ  リンク機構
５３ａ，５３ｂ  タイヤ
【図１】
2015202833.tif 000003
【図２】
2015202833.tif 000004
【図３】
2015202833.tif 000005
【図４】
2015202833.tif 000006
【図５】
2015202833.tif 000007
【図６】
2015202833.tif 000008
【図７】
2015202833.tif 000009
【図８】
2015202833.tif 000010
【図９】
2015202833.tif 000011
【図１０】
2015202833.tif 000012
【図１１】
2015202833.tif 000013
【図１２】
2015202833.tif 000014
【図１３】
2015202833.tif 000015
【図１４】
2015202833.tif 000016
【図１５】
2015202833.tif 000017
【図１６】
2015202833.tif 000018